(57)【要約】【課題】何時でも何処でも充電池を充電でき、外部の電子製品に電力を供給することもできる携帯式充電器を提供する。【解決手段】電池組を含み、電池組に少なくとも一つの充電池を収容可能であるケースと、ケースに設けられ、手動駆動装置と、発電手段と、を含み、ユーザの手が手動駆動装置の一端を握り可能であり、手動駆動装置の他端が発電手段と連接する手動発電組と、一端がプラグを含み、プラグがコンセントに挿入可能であり、他端が電池組と電気的に接続する電源供給装置と、ケースに設けられ、電池組と電気的に接続し、ＵＳＢプラグを有する電器を挿入可能であるＵＳＢポートと、を含む携帯式充電器において、手動駆動装置がユーザの手に駆動されているときには、手動駆動装置の他端が発電手段を駆動して電気的エネルギーを発生し、発電手段の電気的エネルギーが電池組の内部の充電池に供給されることを特徴とする。【選択図】図２
0003170790.tif 000002
【実用新案登録請求の範囲】
【請求項１】
電池組を含み、前記電池組に少なくとも一つの充電池を収容可能であるケースと、前記ケースに設けられ、手動駆動装置と、発電手段と、を含み、ユーザの手が前記手動駆動装置の一端を握り可能であり、前記手動駆動装置の他端が前記発電手段と連接し、前記発電手段が前記電池組と電気的に接続する手動発電組と、一端がプラグを含み、前記プラグがコンセントに挿入可能であり、他端が前記電池組と電気的に接続する電源供給装置と、前記ケースに設けられ、前記電池組と電気的に接続し、ＵＳＢプラグを有する電器を挿入可能であるＵＳＢポートと、を含む携帯式充電器において、
前記手動駆動装置がユーザの手に駆動されているときには、前記手動駆動装置の他端が前記発電手段を駆動して電気的エネルギーを発生し、前記発電手段の電気的エネルギーが前記電池組の内部の充電池に供給されることを特徴とする携帯式充電器。
【請求項２】
前記ケースは充電表示装置を含み、前記充電表示装置は、前記電池組と電気的に接続し、前記充電池の充電状態を表示するためのものであることを特徴とする、請求項１に記載の携帯式充電器。
【請求項３】
前記ケースは電量表示装置を含み、前記電量表示装置は、前記電池組と電気的に接続し、前記充電池の総電量を表示するためのものであることを特徴とする、請求項１に記載の携帯式充電器。
【請求項４】
前記ケースには、少なくとも一つの発光ダイオードと、スイッチと、が設けられ、前記スイッチは発光ダイオードを前記電池組と選択的に電気的に接続するためのものであることを特徴とする、請求項１に記載の携帯式充電器。
【請求項５】
前記手動駆動装置は、プッシャと、駆動部と、を含み、前記プッシャは、一端が前記ケースに旋回可能に設けられ、他端が前記駆動部と連接し、且つ第１位置と第２位置の間に旋回可能であり、前記駆動部は複数の歯を有し、前記発電手段は、伝動装置と、発電装置と、を含み、前記伝動装置は、一端が前記駆動部と回転可能に噛合い、他端が前記発電装置に回転可能に結合され、前記発電装置は前記電池組と電気的に接続することを特徴とする、請求項１から請求項４の何れか１項に記載の携帯式充電器。
【請求項６】
前記手動駆動装置は、更に、弾性具を含み、前記弾性具は、一端が前記プッシャに設けられ、他端が前記ケースに設けられ、前記弾性具により、前記プッシャが前記第１位置へ付勢されることを特徴とする、請求項５に記載の携帯式充電器。
【請求項７】
前記プッシャに収容空間が設けられ、前記収容空間は前記プッシャの前記ケースの内部に向いている側に位置し、前記弾性具の一端が前記収容空間に設けられることを特徴とする、請求項６に記載の携帯式充電器。
【請求項８】
前記携帯式充電器は更に、定位装置を含み、前記定位装置は、前記ケースに設けられ、前記プッシャを前記第２位置に選択的に固定するためのものであることを特徴とする、請求項６に記載の携帯式充電器。
【請求項９】
前記定位装置は、スライド溝と、押付ブロックと、を含み、前記スライド溝は前記ケースの一側に設けられ、前記押付ブロックは、前記スライド溝に摺動可能に設けられ、前記プッシャを前記第２位置に選択的に固定するためのものであることを特徴とする、請求項８に記載の携帯式充電器。
【請求項１０】
前記伝動装置は、第１歯車と、第２歯車と、第３歯車と、を含み、前記駆動部が前記第１歯車と噛合い、前記第２歯車が前記第１歯車及び第３歯車と噛合い、前記発電装置は、回転子と、複数のコイル組と、少なくとも一組の固定子磁石と、を含み、前記回転子は前記第３歯車に回転可能に結合され、これらの前記コイル組は、前記回転子の周縁に設けられ、前記一組の固定子磁石と前記回転子の間に位置し、前記電池組と電気的に接続することを特徴とする、請求項５に記載の携帯式充電器。
【考案の詳細な説明】
【技術分野】
【０００１】
本考案は、充電器に関し、特に、充電池を充電でき、且つ複数の用途を有する携帯式充電器に関するものである。
【背景技術】
【０００２】
科学技術の快速の進展により、電子製品は、軽薄短小となり、且つ携帯性が良くなって環境保全に優しくなる。このような電子製品は、重複に充電可能な充電池を利用することが一般的である。しかし、充電池は充電器によって充電することが必要である。従来の充電器は、公共用電気を電源とすることが多いため、変圧器によって公共用電気からの電力を変圧して充電器に供給することが必要である。
【０００３】
しかしながら、従来の充電器は、市販の規格コンセントを見付らないと充電できないため、室外で充電することが困難である。これにより、充電池の電力が切れて予備の充電池を事前に用意しないと、電子製品を利用することができない。
【０００４】
また、従来の充電器は、充電池を充電する機能だけを有するため、充電池を充電した後、次回の充電までずっと収納される。そうすると、従来の充電器の利用率は極めて低い。
【０００５】
そして市販している充電器は、複数の種類の充電池を充電できるが、充電池の仕様が極めて多いため、全ての仕様の充電池を充電することができず、且つ充電池のタイプにより充電効率に制限がある。
【考案の概要】
【考案が解決しようとする課題】
【０００６】
本考案の主な目的は、何時でも何処でも充電池を充電でき、外部の電子製品に電力を供給することもできる携帯式充電器を提供することにある。
【課題を解決するための手段】
【０００７】
本考案の携帯式充電器によると、電池組を含み、電池組に少なくとも一つの充電池を収容可能であるケースと、ケースに設けられ、手動駆動装置と、発電手段と、を含み、ユーザの手が手動駆動装置の一端を握り可能であり、手動駆動装置の他端が発電手段と連接し、発電手段が電池組と電気的に接続する手動発電組と、一端がプラグを含み、プラグがコンセントに挿入可能であり、他端が電池組と電気的に接続する電源供給装置と、ケースに設けられ、電池組と電気的に接続し、ＵＳＢプラグを有する電器を挿入可能であるＵＳＢポートと、を含む携帯式充電器において、手動駆動装置がユーザの手に駆動されているときには、手動駆動装置の他端が発電手段を駆動して電気的エネルギーを発生し、発電手段の電気的エネルギーが電池組の内部の充電池に供給されることを特徴とする。
【０００８】
本考案の携帯式充電器によると、ケースは充電表示装置を含み、充電表示装置は、電池組と電気的に接続し、充電池の充電状態を表示するためのものであることを特徴とする。
【０００９】
本考案の携帯式充電器によると、ケースは電量表示装置を含み、電量表示装置は、電池組と電気的に接続し、充電池の総電量を表示するためのものであることを特徴とする。
【００１０】
本考案の携帯式充電器によると、ケースには、少なくとも一つの発光ダイオードと、スイッチと、が設けられ、スイッチは発光ダイオードを電池組と選択的に電気的に接続するためのものであることを特徴とする。
【００１１】
本考案の携帯式充電器によると、手動駆動装置は、プッシャと、駆動部と、を含み、プッシャは、一端がケースに旋回可能に設けられ、他端が駆動部と連接し、且つ第１位置と第２位置の間に旋回可能であり、駆動部は複数の歯を有し、発電手段は、伝動装置と、発電装置と、を含み、伝動装置は、一端が駆動部と回転可能に噛合い、他端が発電装置に回転可能に結合され、発電装置は電池組と電気的に接続することを特徴とする。
【００１２】
本考案の携帯式充電器によると、手動駆動装置は、更に、弾性具を含み、弾性具は、一端がプッシャに設けられ、他端がケースに設けられ、弾性具により、プッシャが第１位置へ付勢されることを特徴とする。
【００１３】
本考案の携帯式充電器によると、プッシャに収容空間が設けられ、収容空間はプッシャのケースの内部に向いている側に位置し、弾性具の一端が収容空間に設けられることを特徴とする。
【００１４】
本考案の携帯式充電器によると、更に、定位装置を含み、定位装置は、ケースに設けられ、プッシャを第２位置に選択的に固定するためのものであることを特徴とする。
【００１５】
本考案の携帯式充電器によると、定位装置は、スライド溝と、押付ブロックと、を含み、スライド溝はケースの一側に設けられ、押付ブロックは、スライド溝に摺動可能に設けられ、プッシャを第２位置に選択的に固定するためのものであることを特徴とする。
【００１６】
本考案の携帯式充電器によると、伝動装置は、第１歯車と、第２歯車と、第３歯車と、を含み、駆動部が第１歯車と噛合い、第２歯車が第１歯車及び第３歯車と噛合い、発電装置は、回転子と、複数のコイル組と、少なくとも一組の固定子磁石と、を含み、回転子は第３歯車に回転可能に結合され、これらのコイル組は、回転子の周縁に設けられ、一組の固定子磁石と回転子の間に位置し、電池組と電気的に接続することを特徴とする。
【考案の効果】
【００１７】
本考案の携帯式充電器によれば、何時でも何処でも充電池を充電でき、外部の電子製品に電力を供給することもできるという効果を有する。
【図面の簡単な説明】
【００１８】
【図１】本考案の一実施例の斜視図である。
【図２】本考案の一実施例の電力が扇風機に供給されている状態を示す模式図である。
【図３】本考案の一実施例の手動で充電する動作を示す模式図である。
【図４】本考案の一実施例の押付ブロックによりプッシャが第２位置に固定される状態を示す模式図である。
【図５】本考案の一実施例により携帯電話を充電している状態を示す模式図である。
【図６】本考案の一実施例の電力が外部のＬＥＤ照明装置に供給されている状態を示す模式図である。
【図７】本考案の一実施例の電力がグローバル・ポジショニング・システム（ＧＰＳ）に供給されている状態を示す模式図である。
【考案を実施するための形態】
【００１９】
以下、本考案の実施の形態を図面に基づいて説明する。
図１乃至図４を参照する。本考案の一実施例の携帯式充電器は、ケース１と、手動発電組と、電源供給装置３と、ＵＳＢポート４と、定位装置と、を含む。
【００２０】
ケース１は、電池組を含み、前記電池組に少なくとも一つの充電池６を収容可能である。前記電池組は、電池収容空間１１１と、カバー１１２と、を含むことが好ましい。充電池６は電池収容空間１１１に収容される。カバー１１２は電池収容空間１１１を被る。これにより、充電池６はケース１から脱出することがない。
【００２１】
前記手動発電組は、ケース１に設けられ、手動駆動装置と、発電手段と、を含む。ユーザの手が前記手動駆動装置の一端を握り可能であり、前記手動駆動装置の他端が前記発電手段と連接し、前記発電手段が前記電池組と電気的に接続する。本実施例では、前記手動駆動装置は、プッシャ２１１と、駆動部２１２と、弾性具２１３と、を含む。プッシャ２１１は、一端がケース１に旋回可能に設けられ、他端が駆動部２１２と連接し、且つ第１位置と第２位置の間に旋回可能である。駆動部２１２は複数の歯２１４を有する。弾性具２１３は、一端がプッシャ２１１に設けられ、他端がケース１に設けられる。弾性具２１３により、プッシャ２１１が前記第１位置へ付勢される。プッシャ２１１に収容空間２１５が設けられ、収容空間２１５がプッシャ２１１のケース１の内部に向いている側に位置することが好ましい。弾性具２１３の一端は収容空間２１５に設けられる。本実施例では、弾性具２１３がバネであるが、本考案はこれに限定されない。前記発電手段は、伝動装置と、発電装置と、を含む。前記伝動装置は、一端が駆動部２１２と回転可能に噛合い、他端が前記発電装置に回転可能に結合され、前記発電装置は前記電池組と電気的に接続する。前記伝動装置は、第１歯車２３１と、第２歯車２３２と、第３歯車２３３と、を含み、駆動部２１２が第１歯車２３１と噛合い、第２歯車２３２が第１歯車２３１及び第３歯車２３３と噛合い、前記発電装置は、回転子２４１と、複数のコイル組２４２と、少なくとも一組の固定子磁石２４３と、を含み、回転子２４１は第３歯車２３３に回転可能に結合され、これらのコイル組２４２は、回転子２４１の周縁に設けられ、一組の固定子磁石２４３と回転子２４１の間に位置し、前記電池組と電気的に接続することが好ましい。前記手動駆動装置がユーザの手に駆動されているときには、前記手動駆動装置の他端が前記発電手段を駆動して電気的エネルギーを発生し、前記発電手段の電気的エネルギーが前記電池組の内部の充電池に供給される。具体的には、ユーザは、一つの手でケース１を握って、指でプッシャ２１１を押圧することができる。プッシャ２１１が前記第２位置に旋回するときには、第１歯車２３１が駆動されて回転して第２歯車２３２を駆動する。このとき、第２歯車２３２が第３歯車２３３を駆動して、第３歯車２３３が回転子２４１を駆動する。回転子２４１が駆動されて回転しているときには、これらのコイル組２４２が固定子磁石２４３の磁力線を切って電気的エネルギーを発生する。ケーブル２４４を介して前記電気的エネルギーが図３及び図４に示した前記電池組に伝送されて、充電池を充電できる。
【００２２】
電源供給装置３の一端はプラグ３１を有する。プラグ３１は、一端がコンセント（図示せず）に挿入可能であり、他端が前記電池組と電気的に接続する。本実施例では、電源供給装置３の他端がコネクタ（図示せず）であり、ケース１は挿入穴１２を含む。前記コネクタは挿入穴１２に挿入されて前記電池組と電気的に接続することができる。もちろん、前記ケースに前記電源供給装置の他端を直接に連結してもよい。
【００２３】
ＵＳＢポート４は、ケース１に設けられ、前記電池組と電気的に接続する。ＵＳＢプラグ７１を有する電器７はＵＳＢポート４に挿入可能である。ＵＳＢプラグ７１を介して電器７はＵＳＢポート４と電気的に接続して電力を受けることができる。本実施例では、電器７は、図２に示した扇風機でもいいし、図５に示した携帯電話でもいいし、図６に示したＬＥＤ照明装置でもいいし、図７に示したＧＰＳでもよい。もちろん、本考案のＵＳＢポートを有する電器はこれらに限定されない。
【００２４】
定位装置は、ケース１に設けられ、プッシャ２１１を前記第２位置に選択的に固定するためのものである。前記定位装置は、スライド溝５１と、押付ブロック５２と、を含み、スライド溝５１はケース１の一側に設けられ、押付ブロック５２は、スライド溝５１に摺動可能に設けられ、プッシャ２１１を前記第２位置に選択的に固定するためのものであることが好ましい。これにより、手動発電組によって充電池を充電しないときには、前記手動駆動装置を前記ケース内に収容することができる。
【００２５】
ユーザは携帯式電器（例えば携帯電話やＧＰＳなど）を携帯して外出することが一般的である。携帯式電器の充電池の電量が切れたときには、本考案の電池収容空間に前記充電池を入れて、コンセントに電源供給装置３のプラグ３１を挿入することにより、前記充電池を充電することができる。
【００２６】
市販のコンセントを見付からなく、大震災が発生され、又は野外にいるときに、電力の供給が中断した場合には、ユーザは本考案の携帯式充電器を取り出して、一つの手で前記ケースを握って、前記プッシャを押圧することにより、前記駆動部が駆動されて前記伝動装置を駆動して、前記発電装置が前記伝動装置に駆動されて電気的エネルギーを発生して、前記電気的エネルギーが前記電池組の充電池に供給されて充電池を充電することができる。このように、本考案の携帯式充電器によれば、何時でも何処でも充電池を充電できる。
【００２７】
また、従来の充電器は、充電池の充電が終了したと、充電以外の用途がないため、そのまま収納することが必要である。しかし、本考案の携帯式充電器は、ＵＳＢポートを有するため、前記ＵＳＢポートに電器（例えば扇風機、ＬＥＤ照明装置やＭＰ３プレーヤーなど）のＵＳＢプラグを挿入することにより、前記電器に本考案の携帯式充電器の電力を供給することができる。もちろん、ＵＳＢプラグを有しない電器があり、このような電器はケーブルを介して外部の電源と接続するため、本考案の携帯式充電器に電源出力穴８が設けられる。電源出力穴８は、ケース１に設けられ、図２に示した電池組と電気的に接続する。電源出力穴８に、ＵＳＢプラグを有しない電器のケーブルに設けられるプラグを挿入することができる。これにより、本考案の携帯式充電器は、ＵＳＢプラグを有する電器を充電でき、ＵＳＢプラグを有しない電器を充電することもできる。そして本考案の携帯式充電器にＬＥＤ照明装置が設けられ、前記ＬＥＤ照明装置の発光モードは、救助を求めるための点滅モードと、周囲を照明するための高光度点滅モードと、を有する。これにより、本考案の携帯式充電器によれば、救助を求める用途に適用することができ、周囲を照明する用途に適用することもできる。
【００２８】
また、充電池の仕様が多いため、電池組が全ての仕様の充電池に適用できることは困難であるが、本考案の携帯式充電器はＵＳＢポートを有するため、充電池が組み付けられる電器（例えば携帯電話やＧＰＳなど）のＵＳＢプラグを前記ＵＳＢポートに挿入すると充電池を充電することができ、充電池の仕様に関する心配は全然要らない。そして本考案の携帯式充電器によれば、一定の充電効率を保持できる。
【００２９】
特に、本考案の携帯式充電器は、更に、充電表示装置１３と、電量表示装置１４と、を含む。充電表示装置１３は、前記電池組と電気的に接続し、前記充電池の充電状態を表示するためのものである。電量表示装置１４は、前記電池組と電気的に接続し、前記充電池の総電量を表示するためのものである。これにより、ユーザは充電している充電池の充電状態（充電終了又は充電中）及び残っている総電量を何時でも把握できる。
【００３０】
本考案の携帯式充電器は、ケース１に少なくとも一つの発光ダイオード１５とスイッチ１６とを設けてもよい。スイッチ１６により発光ダイオード１５は前記電池組と選択的に電気的に接続することができる。これにより、ＬＥＤ照明装置を別に接続しなくても、本考案の携帯式充電器は懐中電灯として利用することができる。
【００３１】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３２】
本考案は、充電器に適用することができる。
【符号の説明】
【００３３】
１：ケース
３：電源供給装置
４：ＵＳＢポート
６：充電池
７：電器
８：電源出力穴
１２：挿入穴
１３：充電表示装置
１４：電量表示装置
１５：発光ダイオード
１６：スイッチ
３１：プラグ
５１：スライド溝
５２：押付ブロック
７１：ＵＳＢプラグ
１１１：電池収容空間
１１２：カバー
２１１：プッシャ
２１２：駆動部
２１３：弾性具
２１４：歯
２１５：収容空間
２３１：第１歯車
２３２：第２歯車
２３３：第３歯車
２４１：回転子
２４２：コイル組
２４３：固定子磁石
２４４：ケーブル
【図１】
0003170790.tif 000003
【図２】
0003170790.tif 000004
【図３】
0003170790.tif 000005
【図４】
0003170790.tif 000006
【図５】
0003170790.tif 000007
【図６】
0003170790.tif 000008
【図７】
0003170790.tif 000009